(57)【要約】【課題】画像印刷販売装置において取り込んだ画像ファイルを、ユーザの指定する送信先に送信することである。【解決手段】画像販売装置としての画像自販機１０において、ユーザーの端末としての携帯電話機又は記録媒体から画像ファイルを取得し、ユーザから印刷料金の金銭を受け付けて前記取得された画像ファイルを画像印刷し、当該印刷がなされた場合に、前記取得された画像ファイルを、前記ユーザに指定された送信先の画像管理装置としてのＰＣ２０へ通信ネットワークＮを介して送信する。【選択図】図１
2005190410.tif 000002
【特許請求の範囲】
【請求項１】
画像ファイルを印刷して販売する画像印刷販売装置において、
ユーザの端末又は記録媒体から画像ファイルを取得する取得手段と、
ユーザから投入される金銭を授受する金銭授受手段と、
前記金銭授受手段により前記ユーザから印刷料金の金銭が受け付けられた場合に、前記取得された画像ファイルを画像印刷する印刷手段と、
外部機器と通信接続して通信する通信手段と、
前記印刷手段により印刷がなされた場合に、前記取得された画像ファイルを、前記ユーザに指定された送信先の外部機器へ前記通信手段を介して送信する送信制御手段と、を備えることを特徴とする画像印刷販売装置。
【請求項２】
前記ユーザからの送信対象の画像ファイルの選択入力を受け付ける送信対象選択入力手段と、
前記取得された画像ファイルから前記選択入力された送信対象の画像ファイルを抽出する送信対象抽出手段と、を備え、
前記送信制御手段は、前記抽出された画像ファイルを前記設定された送信先の外部機器へ前記通信手段を介して送信することを特徴とする請求項１に記載の画像印刷販売装置。
【請求項３】
前記送信対象選択入力手段は、前記ユーザからの、前記取得された全画像ファイルを送信対象にする選択入力、又は前記取得された全画像ファイルのうちの印刷済みの画像ファイルを送信対象にする選択入力を受け付けることを特徴とする請求項２に記載の画像印刷販売装置。
【請求項４】
前記送信対象抽出手段は、前記印刷手段の印刷の利用量に基づいて、前記取得された画像ファイルから送信対象の画像ファイルの抽出を行うことを特徴とする請求項２又は３のいずれか一項に記載の画像印刷販売装置。
【請求項５】
前記取得された画像ファイルに各種加工を施す加工手段を備え、
前記送信制御手段は、前記加工された画像ファイルを前記送信先の外部機器へ前記通信手段を介して送信することを特徴とする請求項１から４のいずれか一項に記載の画像印刷販売装置。
【請求項６】
前記送信制御手段は、前記印刷手段により印刷がなされず、前記金銭授受手段により前記ユーザから送信料金の金銭が受け付けられた場合に、前記取得された画像ファイルを、前記ユーザに指定された送信先の外部機器へ前記通信手段を介して送信することを特徴とする請求項１から５のいずれか一項に記載の画像印刷販売装置。
【請求項７】
前記送信制御手段は、前記印刷手段により印刷がなされた場合に、前記取得された画像ファイルを、当該画像ファイルの状態を識別する識別データとともに、前記ユーザに指定された送信先の外部機器へ前記通信手段を介して送信することを特徴とする請求項１から６のいずれか一項に記載の画像印刷販売装置。
【請求項８】
前記識別データは、前記取得された画像ファイルについて、印刷されたか否かを示す状態と、前記ユーザにより参照のために選択されたか否かを示す状態と、加工処理が施されたか否かを示す状態と、前記印刷、前記選択及び前記加工がなされていないことを示す未利用の状態とのうちの少なくとも１つを識別することを特徴とする請求項７に記載の画像印刷販売装置。
【請求項９】
画像ファイルを印刷して販売する画像印刷販売装置に通信接続される画像管理装置において、
前記画像印刷販売装置と通信する通信手段と、
前記画像印刷販売装置から、画像ファイルと、当該画像ファイルの状態を識別する識別データとを、前記通信手段を介して受信する受信制御手段と、
前記識別データに基づいて、前記受信された画像ファイルから記憶対象の画像ファイルを抽出する記憶対象抽出手段と、
前記抽出された記憶対象の画像ファイルを記憶する記憶手段と、を備えることを特徴とする画像管理装置。
【請求項１０】
前記識別データに基づいて、前記受信された画像ファイルを表示する表示手段と、
前記ユーザからの、前記表示された画像ファイルから記憶対象の画像ファイルの選択入力を受け付ける記憶対象選択入力手段と、を備え、
前記記憶対象抽出手段は、前記受信された画像ファイルから、前記選択入力された記憶対象の画像ファイルを抽出することを特徴とする請求項９に記載の画像管理装置。
【請求項１１】
前記記憶対象抽出手段は、前記受信された画像ファイルのうちの、前記記憶手段に記憶されていない画像ファイルを抽出することを特徴とする請求項９又は１０に記載の画像管理装置。
【請求項１２】
前記識別データは、前記受信された画像ファイルについて、前記画像印刷販売装置で印刷されたか否かを示す状態と、前記画像印刷販売装置で参照のために選択入力されたか否かを示す状態と、前記画像印刷販売装置で加工処理が施されたか否かを示す状態と、前記印刷、前記選択及び前記加工がなされていないことを示す未利用の状態とのうちの少なくとも１つを識別することを特徴とする請求項９から１１のいずれか一項に記載の画像管理装置。
【請求項１３】
コンピュータに、
ユーザの端末又は記録媒体から画像ファイルを取得する機能と、
ユーザから投入される金銭を授受する機能と、
前記ユーザから印刷料金の金銭が受け付けられた場合に、前記取得された画像ファイルを画像印刷する機能と、
前記印刷がなされた場合に、前記取得された画像ファイルを、前記ユーザに指定された送信先の外部機器へ送信する機能と、
を実現させるためのプログラム。
【請求項１４】
コンピュータに、
画像印刷販売装置から、画像ファイルと、当該画像ファイルの状態を識別する識別データとを受信する機能と、
前記識別データに基づいて、前記受信された画像ファイルから記憶対象の画像ファイルを抽出する機能と、
前記抽出された記憶対象の画像ファイルをメモリに記憶する機能と、
を実現させるためのプログラム。
【発明の詳細な説明】
【技術分野】
【０００１】
本発明は、画像を印刷して販売する画像印刷販売装置、画像を管理する画像管理装置及びプログラムに関する。
【背景技術】
【０００２】
近年、ユーザの入力により画像ファイルを印刷する自動販売機が増えてきている。例えば、ユーザの画像ファイルが記録された記録メディアを画像自販機にセットして、画像自販機がその記録メディアから画像ファイルを読み出して印刷する方式がある。また、ユーザの端末から画像ファイルをブルートゥースなどの直接的な無線通信より画像自販機に送信し、画像自販機が画像ファイルを受信して印刷する方式がある（例えば、特許文献１参照）。
【０００３】
また、ユーザの端末から画像ファイルを添付したメールを画像印刷販売システムのサーバに送信し、画像自販機がサーバから画像ファイルをダウンロードして印刷する方式もある。特に、カメラ付携帯電話機が普及してきているが、一般に印刷機能が無いため、前記画像印刷が定着しつつある。
【特許文献１】特開２００２−３５２３１９号公報
【発明の開示】
【発明が解決しようとする課題】
【０００４】
画像自販機において印刷などにより利用した画像ファイルを、さらにユーザが画像ファイルを管理しているＰＣ（Personal Computer）などに取り込む要求がある。しかし、例えば、画像自販機で利用した記録メディアや携帯電話機から画像ファイルをＰＣに取り込む作業は、画像自販機で一度行った画像ファイルの読み込み作業と同様の作業を行う必要があるため、２度手間となり、ユーザにとって負担となるおそれがあった。
【０００５】
また、特に、画像自販機において、画像加工した画像ファイルを印刷した場合、その画像データが記録メディアや携帯電話機に記憶されていないため、その加工画像ファイルをＰＣに取り込むことができないというおそれがあった。
【０００６】
本発明の課題は、画像印刷販売装置において取り込んだ画像ファイルを、ユーザの指定する送信先に送信することである。
【課題を解決するための手段】
【０００７】
以上の課題を解決するために、本発明は、画像ファイルを印刷して販売する画像印刷販売装置において、
ユーザの端末又は記録媒体から画像ファイルを取得する取得手段と、
ユーザから投入される金銭を授受する金銭授受手段と、
前記金銭授受手段により前記ユーザから印刷料金の金銭が受け付けられた場合に、前記取得された画像ファイルを画像印刷する印刷手段と、
外部機器と通信接続して通信する通信手段と、
前記印刷手段により印刷がなされた場合に、前記取得された画像ファイルを、前記ユーザに指定された送信先の外部機器へ前記通信手段を介して送信する送信制御手段と、を備えることを特徴とする。
【０００８】
また、例えば、前記ユーザからの送信対象の画像ファイルの選択入力を受け付ける送信対象選択入力手段と、
前記取得された画像ファイルから前記選択入力された送信対象の画像ファイルを抽出する送信対象抽出手段と、を備え、
前記送信制御手段は、前記抽出された画像ファイルを前記設定された送信先の外部機器へ前記通信手段を介して送信することとして構成してもよい。
【０００９】
また、例えば、前記送信対象選択入力手段は、前記ユーザからの、前記取得された全画像ファイルを送信対象にする選択入力、又は前記取得された全画像ファイルのうちの印刷済みの画像ファイルを送信対象にする選択入力を受け付けることとして構成してもよい。
【００１０】
また、例えば、前記送信対象抽出手段は、前記印刷手段の印刷の利用量に基づいて、前記取得された画像ファイルから送信対象の画像ファイルの抽出を行うこととして構成してもよい。
【００１１】
また、例えば、前記取得された画像ファイルに各種加工を施す加工手段を備え、
前記送信制御手段は、前記加工された画像ファイルを前記送信先の外部機器へ前記通信手段を介して送信することとして構成してもよい。
【００１２】
また、例えば、前記送信制御手段は、前記印刷手段により印刷がなされず、前記金銭授受手段により前記ユーザから送信料金の金銭が受け付けられた場合に、前記取得された画像ファイルを、前記ユーザに指定された送信先の外部機器へ前記通信手段を介して送信することとして構成してもよい。
【００１３】
また、例えば、前記送信制御手段は、前記印刷手段により印刷がなされた場合に、前記取得された画像ファイルを、当該画像ファイルの状態を識別する識別データとともに、前記ユーザに指定された送信先の外部機器へ前記通信手段を介して送信することとして構成してもよい。
【００１４】
また、例えば、前記識別データは、前記取得された画像ファイルについて、印刷されたか否かを示す状態と、前記ユーザにより参照のために選択されたか否かを示す状態と、加工処理が施されたか否かを示す状態と、前記印刷、前記選択及び前記加工がなされていないことを示す未利用の状態とのうちの少なくとも１つを識別することとして構成してもよい。
【００１５】
また、本発明は、画像ファイルを印刷して販売する画像印刷販売装置に通信接続される画像管理装置において、
前記画像印刷販売装置と通信する通信手段と、
前記画像印刷販売装置から、画像ファイルと、当該画像ファイルの状態を識別する識別データとを、前記通信手段を介して受信する受信制御手段と、
前記識別データに基づいて、前記受信された画像ファイルから記憶対象の画像ファイルを抽出する記憶対象抽出手段と、
前記抽出された記憶対象の画像ファイルを記憶する記憶手段と、を備えることを特徴とする。
【００１６】
また、例えば、前記識別データに基づいて、前記受信された画像ファイルを表示する表示手段と、
前記ユーザからの、前記表示された画像ファイルから記憶対象の画像ファイルの選択入力を受け付ける記憶対象選択入力手段と、を備え、
前記記憶対象抽出手段は、前記受信された画像ファイルから、前記選択入力された記憶対象の画像ファイルを抽出することとして構成してもよい。
【００１７】
また、例えば、前記記憶対象抽出手段は、前記受信された画像ファイルのうちの、前記記憶手段に記憶されていない画像ファイルを抽出することとして構成してもよい。
【００１８】
また、例えば、前記識別データは、前記受信された画像ファイルについて、前記画像印刷販売装置で印刷されたか否かを示す状態と、前記画像印刷販売装置で参照のために選択入力されたか否かを示す状態と、前記画像印刷販売装置で加工処理が施されたか否かを示す状態と、前記印刷、前記選択及び前記加工がなされていないことを示す未利用の状態とのうちの少なくとも１つを識別することとして構成してもよい。
【発明の効果】
【００１９】
本発明によれば、画像印刷販売装置において、ユーザの端末又は記録媒体から取得した画像ファイルを印刷した場合に、当該取得された画像ファイルをユーザに指定された送信先の外部機器に送信するので、取得された画像ファイルを容易に送信先に送信することができる。
【００２０】
また、本発明によれば、画像管理装置において、画像印刷販売装置から画像ファイル及び識別データを受信し、その識別データに基づいて記憶対象の画像ファイルを抽出して記憶するので、識別データに基づいて、記憶を要する画像ファイルを自在に抽出して記憶することができる。
【発明を実施するための最良の形態】
【００２１】
以下、添付図面を参照して本発明に係る好適な第１の実施の形態、第２の実施の形態及びその変形例を順に詳細に説明する。
【００２２】
（第１の実施の形態）
図１〜図８を参照して、本発明に係る第１の実施の形態を説明する。先ず、図１〜図４を参照して本実施の形態の装置構成を説明する。図１に、本実施の形態の画像印刷販売システム１００の構成を示す。図２に、画像自販機１０の外観構成を示す。図３に、画像自販機１０の内部構成を示す。図４に、ＰＣ２０の内部構成を示す。
【００２３】
図１に示すように、本実施の形態の画像印刷販売システム１００は、画像印刷販売装置としての複数の画像自販機１０と、外部機器、画像管理装置としてのＰＣ２０と、から構成され、通信ネットワークＮにより通信接続される。
【００２４】
画像自販機１０は、ユーザの操作により記録媒体（記録メディア）Ｍ、又はユーザの端末としての携帯電話機３０から画像ファイルを取得し印刷して販売する装置である。画像自販機１０は、例えば、駅やコンビニなどのユーザが利用し易い場所に設置される。
【００２５】
ＰＣ２０は、ユーザの端末装置であり、画像自販機１０から送信された、画像データが添付されたメールを受信して記憶する。携帯電話機３０は、例えば、ＩｒＤＡ（InfraRed Data Association）などの規格の赤外線通信やブルートゥースなどの無線通信により直接画像自販機１０と通信する機能を有する。また、携帯電話機３０は、代表して１台を示すものであるが、１台に限定されるものではない。また、携帯電話機３０に代えて、直接無線通信をする機能を有する、ＰＨＳ（Personal Handyphone System）、ＰＤＡ（Personal Digital Assistant）、デジタルスチルカメラ、デジタルムービーカメラなどとしてもよい。
【００２６】
通信ネットワークＮは、例えば、ＷＡＮ（Wide Area Network）であるが、ＬＡＮ（Local Area Network）としてもよく、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線と、それらを接続するインターネットサービスプロバイダなどを含む構成でもよい。
【００２７】
次いで、図２及び図３を参照して、画像自販機１０の構成を説明する。画像自販機１０は、ＣＰＵ（Central Processing Unit）１１と、送信対象選択入力手段としての操作部１２と、ＲＡＭ（Random Access Memory）１３と、表示部１４と、記憶部１５と、通信手段としての通信部１６と、金銭授受手段としての金銭授受部１７と、取得手段としての記録媒体読み込み部１８と、印刷手段としての印刷部１９と、取得手段としての無線通信部１Ａとを備えて構成され、各部がバス１Ｂに接続される。
【００２８】
ＣＰＵ１１は、画像自販機１０内の各部を中央制御する。ＣＰＵ１１は、記憶部１５に格納されているシステムプログラム及び各種アプリケーションプログラムの中から指定されたプログラムをＲＡＭ１３に展開し、ＲＡＭ１３に展開されたプログラムとの協働で、各種処理を実行する。この処理の実行主体を、送信制御手段、送信対象抽出手段、加工手段としての制御部１１１とする。
【００２９】
操作部１２は、例えば、表示部１４と一体的に構成されるタッチパネルの操作部であり、表示部１４の表示画面部１４１におけるユーザからのタッチ入力を受け付け、その入力信号をＣＰＵ１１に送信する。また、操作部１２が、各種キーを備え、表示部１４と独立した操作部としてもよい。ＲＡＭ１３は、前記指定されたプログラム、入力指示、入力データ及び処理結果などを格納するワークエリアを有し、情報を一時的に格納する。
【００３０】
表示部１４は、ＬＣＤ（Liquid Crystal Display）などの表示画面部１４１を備え、例えば、操作部１２とともにタッチパネルディスプレイとして構成される。ＣＰＵ１１からの表示信号に従って、表示部１４の表示画面部１４１に画面表示を行う。
【００３１】
記憶部１５は、各種プログラム、各種データなどが予め記憶され又は書込み可能な記録媒体（図示せず）を有し、当該記録媒体は、磁気的、光学的記録媒体若しくは半導体などの不揮発性メモリなどの読取り可能な記録媒体で構成されている。当該記録媒体としては、固定ハードディスク、フラッシュＲＯＭなどの固定的に設けたものや、ＣＤ−ＲＷ（CD-ReWritable）、ＤＶＤ（Digital Versatile Disk）−ＲＡＭ、メモリカード、携帯ハードディスク、青色レーザを用いる大容量情報記録媒体などの着脱自在に装着する可搬型のものが用いられる。また、記憶部１５は、プログラムなどを読み出し可能に記憶するＲＯＭ（Read Only Memory）などを含む構成でもよい。
【００３２】
通信部１６は、外部機器との通信を行うためのネットワークカードなどにより構成され、通信ネットワークＮに接続された機器と通信を行う。
【００３３】
金銭授受部１７は、紙幣授受部１７１、返却レバー１７２、コイン授受部１７３、おつり返却部１７４及びレシート出力部１７５などを備えて、ユーザから投入される料金の受付及び返却などを行う。具体的には、紙幣授受部１７１がユーザからの料金としての紙幣を受け付け、返却レバー１７２がユーザからの料金又はおつり返却を受け付け、コイン授受部１７３がユーザからの料金としてのコインを受け付け、おつり返却部１７４がおつり又は料金を返却し、レシート出力部１７５が画像印刷販売のレシートを出力する。
【００３４】
記録媒体読み込み部１８は、ユーザの画像ファイルが記録された記録媒体Ｍがセットされる記録媒体セット部１８１を備え、コンパクトフラッシュ（登録商標）、スマートメディア（登録商標）、ＳＤ（Secure Digital）カードなどのメモリカードや、フレキシブルディスク、ＣＤ−Ｒ（CD-Recordable）、ＤＶＤ−Ｒなどの光磁気ディスクなどの記録媒体Ｍがセット可能であり、ＣＰＵ１１からの指示により、セットされた記録媒体内の画像ファイルなどの情報読み込みを行う。
【００３５】
印刷部１９は、画像が記録された記録紙が排出される印刷画像排出部１９１などを備えて、ＣＰＵ１１からの印刷指示により、画像ファイルの画像を記録紙などの記録媒体に印刷する。例えば、銀塩方式で画像を記録紙に印刷するものとするが、この方式に限定されるものではない。無線通信部１Ａは、例えば、ＩｒＤＡなどの規格の赤外線通信やブルートゥースなどの無線通信により、携帯電話機３０と情報の送受信を行う。
【００３６】
次いで、図４を参照して、ＰＣ２０の内部構成を説明する。ＰＣ２０は、ＣＰＵ２１と、記憶対象選択入力手段としての操作部２２と、ＲＡＭ２３と、表示手段としての表示部２４と、記憶手段としての記憶部２５と、通信手段としての通信部２６と、を備えて構成され、各部がバス２７に接続される。ＣＰＵ２１、操作部２２、ＲＡＭ２３、表示部２４、記憶部２５及び通信部２６は、順に、画像自販機１０のＣＰＵ１１、操作部１２、ＲＡＭ１３、表示部１４、記憶部１５及び通信部１６と同様であるので、異なる部分を主として説明する。
【００３７】
ＣＰＵ２１は、記憶部２５に格納されているシステムプログラム及び各種アプリケーションプログラムの中から指定されたプログラムをＲＡＭ２３に展開し、ＲＡＭ２３に展開されたプログラムとの協働で、各種処理を実行する。この処理の実行主体を、受信制御手段、送信対象抽出手段としての制御部２１１とする。
【００３８】
操作部２２は、カーソルキー、数字入力キー及び各種機能キーなどを備えたキーボードを含む構成とする。操作部２２は、操作者によりキーボードで押下された押下信号をＣＰＵ２１に出力する。また、操作部２２は、マウスなどのポインティングデバイスを含む構成としてもよい。表示部２４は、ＬＣＤ、ＣＲＴ（Cathode Ray Tube）などで構成され、ＣＰＵ２１からの表示信号に従って、画面表示を行う。
【００３９】
次に、図５〜図８を参照して、画像印刷販売システム１００の動作を説明する。図５〜図７に、画像自販機１０において実行される第１の画像印刷販売処理を示す。図８に、画像自販機１０の表示画面の構成を示し、（ａ）にメニュー画面４０の構成を示し、（ｂ）に画像送信入力画面５０の構成を示し、（ｃ）に画像送信利用案内画面６０の構成を示す。
【００４０】
図５〜図７を参照して、画像自販機１０において、ユーザの画像ファイルを印刷して販売する第１の画像印刷販売処理を説明する。画像自販機１０において、操作部１２を介してユーザから第１の画像印刷販売処理の実行指示が入力されたことをトリガとして、ＣＰＵ１１は、記憶部１５に記憶された第１の画像印刷販売プログラムを読み出して適宜ＲＡＭ１３に展開し、ＣＰＵ１１とＲＡＭ１３内の第１の画像印刷販売プログラムとの協働により第１の画像印刷販売処理が実行される。この処理実行の主体を制御部１１１とし、以下の画像自販機１０において実行される処理についても同様であるものとする。
【００４１】
先ず、メニュー画面が表示部１４に表示される（ステップＳ１１）。メニュー画面は、例えば、図８（ａ）に示すメニュー画面４０であり、選択番号“１”の画像印刷、選択番号“２”の画像加工印刷及び選択番号“３”の画像送信の各メニューが選択可能である。そして、操作部１２により、ユーザからのメニュー選択入力が受け付けられる（ステップＳ１２）。
【００４２】
そして、記録媒体読み込み部１８又は無線通信部１Ａを介して、メモリカードなどの記録媒体Ｍ又は携帯電話機３０からの画像ファイルの取得要求のメッセージが表示部１４に表示される（ステップＳ１３）。ユーザは、画像ファイルが記録された記録媒体Ｍを記録媒体読み込み部１８にセットする、又は携帯電話機３０から直接無線通信により無線通信部１Ａを介して画像自販機１０への画像ファイルの送信操作を行う。
【００４３】
そして、記録媒体読み込み部１８又は無線通信部１Ａを介して、記録媒体Ｍ又は携帯電話機３０から画像ファイルが取得されたか否かが判別される（ステップＳ１４）。画像ファイルが取得された場合（ステップＳ１４；ＹＥＳ）、記録媒体Ｍに記録された全画像ファイル、又は携帯電話機３０から送信された全画像ファイルが取り込まれて記憶部１５に記憶される（ステップＳ１５）。そして、ステップＳ１５において取得された画像ファイルのサムネイル（縮小画像）が作成されて表示部１４に一覧表示される（ステップＳ１６）。
【００４４】
そして、ステップＳ１２で選択入力されたメニューが“１”の画像印刷であるか否かが判別される（ステップＳ１７）。選択入力されたメニューが“１”である場合（ステップＳ１７；ＹＥＳ）、操作部１２により、ユーザからの、印刷対象の画像ファイルと、その画像ファイルの印刷量（印刷する画像サイズ、印刷枚数など）との選択入力が受け付けられる（ステップＳ１８）。そして、印刷対象の画像及びその印刷量の選択入力が終了したか否かが判別される（ステップＳ１９）。選択終了されていない場合（ステップＳ１９；ＮＯ）、ステップＳ１８に移行される。
【００４５】
選択終了された場合（ステップＳ１９；ＹＥＳ）、印刷対象の画像ファイル数、印刷量などに基づいて、印刷対象の画像ファイルの印刷料金が算出されて表示部１４に表示される（ステップＳ２０）。そして、金銭授受部１７によりユーザからの料金の支払いが受け付けられて、算出料金以上の金銭の支払いが行われたか否かが判別される（ステップＳ２１）。そして、料金支払いがなされていない場合（ステップＳ２１；ＮＯ）、操作部１２を介してユーザから印刷料金の支払いのキャンセルの入力がされたか否かが判別される（ステップＳ２２）。料金支払のキャンセルの入力がされていない場合（ステップＳ２２；ＮＯ）、ステップＳ２１に移行される。料金支払のキャンセルの入力がされた場合（ステップＳ２２；ＹＥＳ）、ステップＳ１１に移行される。
【００４６】
料金支払いがなされた場合（ステップＳ２１；ＹＥＳ）、ステップＳ１６において選択された画像ファイルが、その印刷量などに基づいて印刷部１９により記録紙などに画像印刷されて排出される（ステップＳ２３）。また、印刷料金よりも支払い金額のほうが大きい場合に、金銭授受部１７によりおつりが返金される。
【００４７】
そして、画像ファイルを任意の送信先にメール送信する画像送信サービスに関する入力を行う画像送信入力画面が表示部１４に表示されて、操作部１２により、ユーザからの画像送信先のメールアドレスの入力が受け付けられる（ステップＳ２４）。画像送信入力画面は、例えば、図８（ｂ）に示す画像送信入力画面５０となる。メールアドレスの入力は、メールアドレス入力欄５１により受け付けられる。例えば、ユーザの端末であるＰＣ２０のメールアドレスが設定される。また、画像送信入力画面５０は、画像送信サービスを利用する選択入力を受け付ける利用ボタン５２と、同じく利用しない選択入力を受け付ける利用せずボタン５３とを有する。
【００４８】
そして、操作部１２により、ユーザからの画像送信サービスの利用又は利用しない旨の入力が受け付けられ、画像送信サービスを利用する選択入力がされたか否かが判別される（ステップＳ２５）。ユーザからの利用せずボタン５３の押下入力により、画像送信サービスが利用されない場合（ステップＳ２５；ＮＯ）、ステップＳ１１に移行される。ユーザからの利用ボタン５２の押下入力により、画像送信サービスが利用される場合（ステップＳ２５；ＹＥＳ）、印刷料金が所定金額以上であるか否かが判別される（ステップＳ２６）。印刷料金の金額が高い場合に、全画像ファイル数が多いとみなされ、ユーザが全画像ファイルを送信する可能性が高いため、所定金額とは、全画像ファイルを送信する可能性が高いか否かの基準となる金額である。
【００４９】
印刷料金が所定金額以上である場合（ステップＳ２６；ＹＥＳ）、サムネイルの一覧表示とともに、送信する画像ファイルを選択するための送信画像選択画面が表示部１４に表示され、操作部１２により、ユーザからの送信対象の画像ファイルの選択入力が受け付けられる（ステップＳ２７）。そして、ステップＳ２７において全ての画像ファイルが選択入力されたか否かが判別される（ステップＳ２８）。
【００５０】
全ての画像ファイルが選択入力された場合（ステップＳ２８；ＹＥＳ）、ステップＳ１５において取り込まれた全ての画像ファイルが記憶部１５から読み込まれる（ステップＳ２９）。そして、読み込まれた画像ファイルがメールに添付され、通信部１６及び通信ネットワークＮを介して、当該画像ファイルが添付されたメールが、ステップＳ２４において入力されたメールアドレスに送信され（ステップＳ３０）、ステップＳ１１に移行される。
【００５１】
印刷料金が所定金額以上でない場合（ステップＳ２６；ＮＯ）、又は全ての画像ファイルが選択入力されない場合（ステップＳ２８；ＮＯ）、ステップＳ１５において取り込まれた全ての画像ファイルのうち、選択された画像ファイルのみが記憶部１５から読み込まれ（ステップＳ３１）、ステップＳ３１に移行される。
【００５２】
選択入力されたメニューが“１”でない場合（ステップＳ１７；ＮＯ）、ステップＳ１２で選択入力されたメニューが“２”の画像加工印刷であるか否かが判別される（ステップＳ３２）。選択入力されたメニューが“２”である場合（ステップＳ３２；ＹＥＳ）、操作部１２により、ユーザからの加工対象の画像ファイル及びその加工の種類の選択入力が受け付けられる（ステップＳ３３）。そして、操作部１２により、ユーザからの加工対象の画像ファイル及びその加工の種類の選択入力が受け付けられる（ステップＳ３３）。加工種類は、例えば、画像の一部切り出し加工、画像の拡大縮小加工、明るさ調整加工などである。
【００５３】
そして、ステップＳ３３において選択された加工種類により、選択された加工対象の画像ファイルが加工されて表示部１４に表示される（ステップＳ３４）。そして、操作部１２を介して、ユーザからの加工がＯＫである旨の入力があるか否かが判別される（ステップＳ３５）。加工がＯＫでない場合（ステップＳ３５；ＮＯ）、ステップＳ３３に移行される。
【００５４】
加工がＯＫである場合（ステップＳ３５；ＹＥＳ）、ステップＳ３４において加工された加工画像ファイルと、その加工前の元画像ファイルとが記憶部１５に一時記憶される（ステップＳ３６）。そして、操作部１２を介して、ユーザからの他に加工対象の画像ファイルがある旨の入力があるか否かが判別される（ステップＳ３７）。他に加工対象の画像ファイルがある場合（ステップＳ３７；ＹＥＳ）、ステップＳ３３に移行される。
【００５５】
他に加工対象の画像ファイルがない場合（ステップＳ３７；ＮＯ）、操作部１２により、ユーザからの印刷量の選択入力が受け付けられ、印刷対象の画像数、印刷量などに基づいて、加工済みで印刷対象の画像ファイルの印刷料金が算出されて表示部１４に表示される（ステップＳ３８）。そして、金銭授受部１７によりユーザからの料金の支払いが受け付けられて、算出料金以上の金銭の支払いが行われたか否かが判別される（ステップＳ３９）。そして、料金支払いがなされていない場合（ステップＳ３９；ＮＯ）、操作部１２を介してユーザから印刷料金の支払いのキャンセルの入力がされたか否かが判別される（ステップＳ４０）。料金支払のキャンセルの入力がされていない場合（ステップＳ４０；ＮＯ）、ステップＳ３８に移行される。料金支払のキャンセルの入力がされた場合（ステップＳ４０；ＹＥＳ）、ステップＳ１１に移行される。
【００５６】
料金支払いがなされた場合（ステップＳ３９；ＹＥＳ）、全加工画像ファイルが、その印刷量などに基づいて印刷部１９により記録紙などに画像印刷されて排出される（ステップＳ４１）。そして、ステップＳ２４と同様に、画像送信入力画面５０が表示部１４に表示されて、操作部１２により、ユーザからの画像送信先のメールアドレスの入力が受け付けられる（ステップＳ４２）。
【００５７】
そして、操作部１２により、ユーザからの画像送信サービスの利用又は利用しない旨の入力が受け付けられ、画像送信サービスの利用される選択入力がされたか否かが判別される（ステップＳ４３）。ユーザからの利用せずボタン５３の押下入力により、画像送信サービスが利用されない場合（ステップＳ４３；ＮＯ）、ステップＳ１１に移行される。ユーザからの利用ボタン５２の押下入力により、画像送信サービスが利用される場合（ステップＳ４３；ＹＥＳ）、記憶部１５に記憶された加工画像ファイル及び元画像ファイルがメールに添付され、通信部１６及び通信ネットワークＮを介して、当該加工及び元画像ファイルが添付されたメールが、ステップＳ４２において入力されたメールアドレスに送信され（ステップＳ４４）、ステップＳ１１に移行される。
【００５８】
選択入力されたメニューが“２”でない場合（ステップＳ３２；ＮＯ）、ステップＳ１２で選択入力されたメニューが“３”の画像送信であるか否かが判別される（ステップＳ４５）。選択入力されたメニューが“３”でない場合（ステップＳ４５；ＮＯ）、ステップＳ１１に移行される。
【００５９】
選択入力されたメニューが“３”である場合（ステップＳ４５；ＹＥＳ）、画像送信サービスの画像送信利用案内画面が表示部１４に表示され、操作部１２により、ユーザからの画像送信サービスを利用する旨又は他メニューへの移行の旨の選択入力が受け付けられる（ステップＳ４６）。画像送信利用案内画面は、例えば、図８（ｃ）の画像送信表示画面６０とする。画像送信表示画面６０は、画像送信サービスの利用案内メッセージとともに、画像送信サービスを利用する選択入力を受け付ける利用ボタン６１と、同じく他メニューの選択入力を受け付ける他メニューボタン６２とを有する。
【００６０】
そして、ステップＳ４６において、画像送信サービスの利用される選択入力がされたか否かが判別される（ステップＳ４７）。画像送信サービスが利用されない場合（ステップＳ４７；ＮＯ）、ステップＳ４６において、他メニューへの移行の選択入力がされたか否かが判別される（ステップＳ４８）。他メニューへの移行の選択入力がされていない場合（ステップＳ４８；ＮＯ）、ステップＳ１１に移行される。
【００６１】
ユーザから他メニューボタン６２の押下があり、他メニューへの移行の選択入力がされた場合（ステップＳ４８；ＹＥＳ）、メニュー画面４０が表示部１４に表示され、操作部１２により、ユーザからのメニューの選択入力が受け付けられる（ステップＳ４９）。そして、ステップＳ４９において、メニュー“１”又は“２”が選択入力されたか否かが判別される（ステップＳ５０）。メニュー“１”又は“２”が選択入力された場合（ステップＳ５０；ＹＥＳ）、ステップＳ１７に移行される。メニュー“１”又は“２”が選択入力されていない場合（ステップＳ５０；ＮＯ）、ステップＳ１１に移行される。
【００６２】
ユーザからの利用ボタン６１の押下入力により、画像送信サービスが利用される場合（ステップＳ４７；ＹＥＳ）、記憶部１５に記憶されている画像ファイルのサムネイルの一覧表示とともに、送信画像選択画面が表示部１４に表示される（ステップＳ５１）。そして、操作部１２により、ユーザからの送信対象の画像ファイルの選択入力が受け付けられる（ステップＳ５２）。そして、ステップＳ５２において、送信対象の画像ファイルの選択が終了されたか否かが判別される（ステップＳ５３）。送信対象の画像ファイルの選択が終了されていない場合（ステップＳ５３；ＮＯ）、ステップＳ５２に移行される。
【００６３】
送信対象の画像ファイルの選択が終了された場合（ステップＳ５３；ＹＥＳ）、送信対象の画像の送信料金が算出されて表示部１４に表示される（ステップＳ５４）。例えば、メニュー“１”又は“２”において、画像印刷済みである場合には、送信料金が無料に設定され、画像印刷済みでない場合に、送信料金が有料に設定される。
【００６４】
そして、送信料金が有料である場合に、金銭授受部１７によりユーザからの料金の支払いが受け付けられて、算出料金以上の金銭の支払いが行われたか否かが判別される（ステップＳ５５）。そして、送信料金が有料であり且つ料金の支払いがなされていない場合（ステップＳ５５；ＮＯ）、操作部１２を介してユーザから印刷料金の支払いのキャンセルの入力がされたか否かが判別される（ステップＳ５６）。料金支払いのキャンセルの入力がされていない場合（ステップＳ５６；ＮＯ）、ステップＳ５４に移行される。料金支払いのキャンセルの入力がされた場合（ステップＳ５６；ＹＥＳ）、ステップＳ１１に移行される。
【００６５】
送信料金が無料、あるいは送信料金が有料で且つ料金支払いがなされた場合（ステップＳ５５；ＹＥＳ）、ステップＳ５２において選択された画像ファイルが、記憶部１５から読み込まれる（ステップＳ５７）。そして、操作部１２により、ユーザからの送信先のメールアドレスの入力が受け付けられ、ステップＳ５７において読み込まれた画像ファイルがメールに添付され、通信部１６及び通信ネットワークＮを介して、当該画像ファイルが添付されたメールが、前記入力されたメールアドレスに送信され（ステップＳ５８）、ステップＳ１１に移行される。
【００６６】
以上、本実施の形態によれば、画像自販機１０において、ユーザの携帯電話機３０又は記録媒体Ｍから取得した画像ファイルを印刷した場合に、当該取得された画像ファイルをユーザに指定された送信先のＰＣ２０にメール送信するので、ユーザが容易に画像ファイルを送信先に送信することができる。
【００６７】
また、ユーザの入力により、ユーザの携帯電話機３０又は記録媒体Ｍから取得した全画像ファイルから送信対象の画像ファイルを選択するので、ユーザが自在に送信対象の画像ファイルを選択して送信先に送信することができる。
【００６８】
また、画像自販機１０において、ユーザの携帯電話機３０又は記録媒体Ｍから取得した全画像ファイルを加工して印刷できるとともに、その加工画像ファイルを送信先のＰＣ２０に送信することができる。
【００６９】
また、印刷料金が所定金額以上の場合に、送信対象の画像ファイルを全画像ファイルに選択可能とし、同じく所定金額より小さい場合に、送信対象の画像ファイルをユーザに選択された画像ファイルとするので、印刷料金が所定金額以上で多数の画像ファイルが画像自販機１０で利用されたとみなせる場合に、全画像ファイルを選択でき、ユーザによる送信対象の画像ファイルの選択の作業負担を軽することができる。
【００７０】
また、画像自販機１０において画像ファイルが印刷された場合に無料で画像ファイルを送信先のＰＣ２０にメール送信し、同じく画像ファイルが印刷されていない場合に有料で画像ファイルを送信先のＰＣ２０にメール送信するので、画像ファイルを印刷する顧客が画像ファイルの送信サービスを利用しやすくできるとともに、画像ファイルを印刷しない顧客にも画像ファイルの送信サービスを利用可能にすることができる。
【００７１】
なお、本実施の形態において、印刷料金が所定金額以上であるか否かに応じて、送信対象の画像ファイルを全画像ファイルに選択可能としたが、これに限定されるものではなく、画像自販機１０の利用量に応じて、送信対象の画像ファイルを選択可能としてもよい。例えば、利用量として、印刷料金、印刷枚数、印刷した画像ファイルの数などのうちの少なくとも１つを用いることができる。
【００７２】
（第２の実施の形態）
図９〜図１３を参照して、本発明に係る第２の実施の形態を説明する。本実施の形態の装置構成は、第１の実施の形態と同様であるので、その説明を省略する。
【００７３】
次に、図９を参照して、画像自販機１０において、記憶部１５に記憶する又はＲＡＭ１３に格納する各種データを説明する。図９に、記憶部１５に記憶する又はＲＡＭ１３に格納する各種データの構成を示し、（ａ）に記憶部１５に記憶されるユーザテーブル７０の構成を示し、（ｂ）にＲＡＭ１３に格納される画像関連データ８０の構成を示す。
【００７４】
図９（ａ）に示すように、画像自販機１０において、記憶部１５に、ユーザに関連する情報としてのユーザテーブル７０が記憶される。ユーザテーブル７０は、ユーザを識別するユーザＩＤ７１と、ユーザＩＤ７１のユーザが画像ファイルの送信先として指定したメールアドレス７２とを含む。
【００７５】
図９（ｂ）に示すように、画像自販機１０において、ＲＡＭ１５に、送信対象の画像ファイルに関する情報としての画像関連データ８０が一時的に格納される。画像関連データ８０は、送信対象の各画像ファイルを識別する画像ＩＤ８１と、画像ＩＤ８１に対応する画像ファイルのファイル名８２と、画像ＩＤ８１に対応する画像ファイルが、加工されたか否かを示す加工有無８３と、同じく選択されたか否かを示す選択有無８４と、同じく印刷されたか否かを示す印刷有無８５とを含む。選択とは、画像ファイルについて、目視による確認のために、そのユーザにより選択入力されて且つ印刷されていない状態を示す。
【００７６】
次に、図１０〜図１３を参照して、画像印刷販売システム１００の動作を説明する。図１０に、画像自販機１０において実行される第２の画像印刷販売処理を示す。図１１に、第２の画像印刷販売処理のうちの選択画像送信処理を示す。図１２に、ＰＣ２０において実行される第１の画像メール受信処理を示す。図１３に、画像自販機１０又はＰＣ２０において表示される画面の構成を示し、（ａ）に画像自販機１０において表示される送信画像選択画面９０の構成を示し、（ｂ）にＰＣ２０において表示される受信画像選択画面Ｄの構成を示す。
【００７７】
先ず、図１０を参照して、画像自販機１０において、ユーザの画像ファイルを印刷して販売する第２の画像印刷販売処理を説明する。画像自販機１０において、操作部１２を介してユーザから第２の画像印刷販売処理の実行指示が入力されたことをトリガとして、ＣＰＵ１１は、記憶部１５に記憶された第２の画像印刷販売プログラムを読み出して適宜ＲＡＭ１３に展開し、ＣＰＵ１１とＲＡＭ１３内の第２の画像印刷販売プログラムとの協働により第２の画像印刷販売処理が実行される。
【００７８】
また、ユーザは、画像ファイルが記録された記録媒体Ｍを記録媒体読み込み部１８にセットする、又は携帯電話機３０から直接無線通信により無線通信部１Ａを介して画像自販機１０に、画像ファイルを送信する。
【００７９】
先ず、記録媒体読み込み部１８又は無線通信部１Ａを介して、記録媒体Ｍ又は携帯電話機３０から画像ファイルが取得されたか否かが判別される（ステップＳ６１）。画像ファイルが取得されていない場合（ステップＳ６１；ＮＯ）、ステップＳ６１に移行される。画像ファイルが取得された場合（ステップＳ６１；ＹＥＳ）、取得された画像ファイルのサムネイルが作成されて表示部１４に一覧表示され、取得された全画像ファイルの画像関連データ８０が設定されてＲＡＭ１３に格納される（ステップＳ６２）。具体的には、取得した全画像ファイルの画像ＩＤ、ファイル名が、画像関連データ８０の画像ＩＤ８１、ファイル名８２に設定される。画像ＩＤが付与されていない場合には、新たにユニークな画像ＩＤが発行されて設定される。
【００８０】
そして、操作部１２を介して、ユーザからの画像加工実行入力がなされたか否かが判別される（ステップＳ６３）。画像加工実行の入力がなされた場合（ステップＳ６３；ＹＥＳ）、ユーザの入力により取得された全画像ファイルのうちの加工対象の画像ファイルが選択されて各種画像加工処理が施され、画像関連データ８０の、加工された画像ファイルの加工有無８３が“有”に設定され（ステップＳ６４）、ステップＳ６３に移行される。以下、加工済みの画像ファイルを加工画像ファイルとする。
【００８１】
画像加工実行の入力がなされていない場合（ステップＳ６３；ＮＯ）、操作部１２を介して、ユーザから画像印刷前の画像確認のための画像ファイルの選択入力がなされたか否かが判別される（ステップＳ６５）。画像ファイルの選択入力がなされた場合（ステップＳ６５；ＹＥＳ）、ステップＳ６５において選択された画像ファイルが表示部１４に表示される（ステップＳ６６）。そして、操作部１２を介して、ユーザから選択画像ファイルの印刷指示の入力がなされたか否かが判別される（ステップＳ６７）。
【００８２】
印刷指示の入力がなされた場合（ステップＳ６７；ＹＥＳ）、操作部１２により、ユーザからの印刷種類及び印刷量の選択入力が受け付けられる（ステップＳ６８）。印刷の種類とは、例えば、カラー印刷、白黒印刷などである。そして、印刷の種類及び印刷量に基づいて、印刷対象の画像の印刷料金が算出されて表示部１４に表示され、金銭授受部１７によりユーザからの料金の支払いが受け付けられる（ステップＳ６９）。
【００８３】
そして、印刷対象の画像ファイルが、その印刷種類及び印刷量に基づいて印刷部１９により記録紙などに画像印刷されて排出され、画像関連データ８０の、印刷された画像ファイルの印刷有無８５が“有”に設定され（ステップＳ７０）、ステップＳ６５に移行される。以下、印刷済みの画像ファイルを印刷画像ファイルとする。
【００８４】
印刷指示の入力がなされていない場合（ステップＳ６７；ＮＯ）、画像関連データ８０の、選択された画像ファイルの印刷有無８４が“有”に設定され（ステップＳ７１）、ステップＳ６５に移行される。以下、選択済みの画像ファイルを選択画像ファイルとする。
【００８５】
画像ファイルの選択入力がなされていない場合（ステップＳ６５；ＮＯ）、画像送信サービスの画像送信利用案内画面が表示部１４に表示され、操作部１２により、ユーザから画像印刷サービスを利用又は利用しない旨の選択入力が受け付けられる（ステップＳ７２）。そして、ステップＳ７２において、画像印刷サービスを利用及び利用しない旨のいずれの選択入力がなされたかが判別される（ステップＳ７３）。画像印刷サービスを利用しない旨が選択された場合（ステップＳ７３；ＮＯ）、ステップＳ６１に移行される。
【００８６】
画像印刷サービスを利用する旨が選択された場合（ステップＳ７３；ＹＥＳ）、取得された全画像ファイルから送信対象の画像ファイルを選択する送信画像選択画面が表示部１４に表示され、操作部１２により、全画像ファイル送信、印刷画像ファイルのみ送信又は送信解除の選択入力が受け付けられる（ステップＳ７４）。送信画像選択画面は、例えば、図１３（ａ）に示す送信画像選択画面９０である。送信画像選択画面９０は、全ての画像ファイルを送信するための全画像送信ボタン９１と、印刷した画像ファイルのみを送信するための印刷画像送信ボタン９２と、画像ファイル送信の解除のための解除ボタン９３とを有する。
【００８７】
そして、選択画像送信処理が実行され（ステップＳ７５）、ステップＳ６１に移行される。ここで、図１１を参照して、ステップＳ７５の選択画像送信処理を詳細に説明する。先ず、操作部１２を介して、ユーザから送信画像選択画面９０の全画像送信ボタン９１の押下入力されたか否かにより、全画像ファイル送信が選択されたか否かが判別される（ステップＳ７５１）。全画像ファイル送信が入力された場合（ステップＳ７５１；ＹＥＳ）、ＲＡＭ１３内の全画像関連データ８０に基づく全画像ファイルの画像種類を識別する識別データが新規メールに含められ、取得された全画像ファイルがそのメールに添付されてメール作成される（ステップＳ７５２）。
【００８８】
そして、操作部１２を介して送信先のユーザのユーザＩＤ又はメールアドレスの入力が受け付けられ、その入力と、記憶部２５内のユーザテーブル７０とに基づいて送信先のメールアドレスが特定され、通信部１６及び通信ネットワークＮを介して、作成されたメールがそのメールアドレスを宛先として送信され（ステップＳ７５３）、選択画像送信処理が終了され、ステップＳ６１に移行される。本実施の形態では、送信先のメールアドレスが、例えばＰＣ２０のメールアドレスであるとして説明する。
【００８９】
全画像ファイル送信が入力されていない場合（ステップＳ７５１；ＮＯ）、操作部１２を介して、ユーザから送信画像選択画面９０の印刷画像送信ボタン９２が押下入力されたか否かにより、印刷画像ファイル送信が選択されたか否かが判別される（ステップＳ７５４）。印刷画像ファイル送信が入力された場合（ステップＳ７５４；ＹＥＳ）、ＲＡＭ１３内の全画像関連データ８０のうちの印刷有無８５が“有”のレコードに基づく印刷画像ファイルを識別する識別データが新規メールに含められ、取得された全画像ファイルのうちの印刷有無８５が“有”の印刷画像ファイルがそのメールに添付されてメール作成され（ステップＳ７５５）、ステップＳ７５３に移行される。
【００９０】
印刷画像ファイル送信が入力されていない場合（ステップＳ７５４；ＮＯ）、操作部１２を介して、ユーザから送信画像選択画面９０の解除ボタン９３が押下入力されたか否かにより、画像ファイル送信の解除が選択されたか否かが判別される（ステップＳ７５６）。画像ファイル送信の解除が選択された場合（ステップＳ７５６；ＹＥＳ）、選択画像送信処理が終了され、ステップＳ６１に移行される。画像ファイル送信の解除が選択されない場合（ステップＳ７５６；ＮＯ）、ステップＳ７５１に移行される。
【００９１】
次いで、図１２及び図１３を参照して、ＰＣ２０において、画像自販機１０から画像ファイルが添付されたメールを受信する第１の画像メール受信処理を説明する。ＰＣ２０において、操作部２２を介してユーザから第１の画像メール受信処理の実行指示が入力されたことをトリガとして、ＣＰＵ２１は、記憶部２５に記憶された第１の画像メール受信プログラムを読み出して適宜ＲＡＭ２３に展開し、ＣＰＵ２１とＲＡＭ２３内の第１の画像メール受信プログラムとの協働により第１の画像メール受信処理が実行される。この処理実行の主体を制御部２１１とし、以下のＰＣ２０において実行される処理についても同様であるものとする。
【００９２】
予め、例えば、ＰＣ２０から、通信ネットワークＮ上のユーザのメールを管理するメールサーバに問い合わせられてＰＣ２０のメールアドレス宛てのメールがダウンロードされる。先ず、通信ネットワークＮ及び通信部２６を介して、ユーザのメールアドレスに送信された画像ファイルが添付されたメールが受信されたか否かが判別される（ステップＳ８１）。
【００９３】
画像ファイルが添付されたメールが受信されていない場合（ステップＳ８１；ＮＯ）、第１の画像メール受信処理が終了される。画像ファイルが添付されたメールが受信された場合（ステップＳ８１；ＹＥＳ）、画像ファイルが添付されたメールに全画像ファイルの識別データが含まれているか否かにより、全画像ファイルが添付されたメールが受信されたか否かが判別される（ステップＳ８２）。
【００９４】
全画像ファイルが添付されたメールが受信された場合（ステップＳ８２；ＹＥＳ）、全画像ファイルに含まれる識別データが参照され、全画像ファイルが画像種類に基づいて識別表示される受信画像選択画面が表示部１４に表示される（ステップＳ８３）。受信画像選択画面は、例えば、図１３（ｂ）に示す受信画像選択画面Ｄである。受信画像選択画面Ｄは、画像ファイルをその種類が識別されるように表示される画像識別表示部Ｄ１と、画像ファイルを取り込む取り込みボタンＤ２とを含む。
【００９５】
そして、操作部２２によりユーザからの取り込み画像ファイルの指定入力が受け付けられる（ステップＳ８４）。例えば、画像識別表示部Ｄ１のうちの取り込み対象の画像ファイルが選択されて取り込みボタンＤ２の押下入力により押下決定される。そして、ステップＳ８４において取り込み指定された画像ファイルが記憶部２５の指定場所に記憶され（ステップＳ８５）、第１の画像メール受信処理が終了される。記憶部２５の指定場所とは、例えば、画像自販機１０に関連する画像ファイルを保存するためのフォルダである。
【００９６】
全画像ファイルが添付されたメールが受信されていない場合（ステップＳ８２；ＮＯ）、画像ファイルが添付されたメールに、印刷画像ファイルを示す識別データのみが含まれているか否かにより、印刷画像ファイルが添付されたメールが受信されたか否かが判別される（ステップＳ８６）。印刷画像ファイルが添付されたメールが受信されていない場合（ステップＳ８６；ＮＯ）、第１の画像メール受信処理が終了される。
【００９７】
印刷画像ファイルが添付されたメールが受信された場合（ステップＳ８６；ＹＥＳ）、印刷画像ファイルに含まれる識別データが参照され、印刷画像ファイルが識別表示される受信画像選択画面が表示部１４に表示され（ステップＳ８７）、ステップＳ８４に移行される。
【００９８】
以上、本実施の形態によれば、画像自販機１０において、送信対象の画像ファイルともに、その識別データを送信先のＰＣ２０に送信できる。また、ＰＣ２０において、画像ファイル及びその識別データを受信し、その識別データに基づいて、受信した画像ファイルを、印刷画像ファイル、加工画像ファイル、選択ファイル及び未利用ファイルの別に一覧表示でき、その一覧表示の参照によりユーザが記憶対象の（取り込み指定された）画像データを容易に選択することができ、その選択された記憶対象の画像ファイルを自在に記憶部２５に記憶できる。
【００９９】
また、画像自販機１０において、送信対象の画像ファイルを、全画像ファイル又は印刷画像ファイルのみに設定できるので、ユーザによる送信対象の画像ファイルの選択の作業負担を軽減することができる。
【０１００】
（第２の実施の形態の変形例）
図１４を参照して、上記第２の実施の形態の変形例を説明する。図１４に、ＰＣ２０において実行される第２の画像メール受信処理を示す。本変形例の装置構成は、第２の実施の形態と同様であるので、その説明を省略する。
【０１０１】
また、本変形例における画像印刷販売システム１００の動作は、第２の実施形態の第１の画像メール受信処理を、第２の画像メール受信処理に代えたものである。図１４を参照して、ＰＣ２０において、画像自販機１０から画像ファイルが添付されたメールを受信する第２の画像メール受信処理を説明する。ＰＣ２０において、操作部２２を介してユーザから第２の画像メール受信処理の実行指示が入力されたことをトリガとして、ＣＰＵ２１は、記憶部２５に記憶された第２の画像メール受信プログラムを読み出して適宜ＲＡＭ２３に展開し、ＣＰＵ２１とＲＡＭ２３内の第２の画像メール受信プログラムとの協働により第２の画像メール受信処理が実行される。
【０１０２】
予め、例えば、ＰＣ２０から、通信ネットワークＮ上のユーザのメールを管理するメールサーバに問い合わせられてＰＣ２０のメールアドレス宛てのメールがダウンロードされる。先ず、通信ネットワークＮ及び通信部２６を介して、ユーザのメールアドレスに送信された画像ファイルが添付されたメールが受信されたか否かが判別される（ステップＳ９１）。
【０１０３】
画像ファイルが添付されたメールが受信されていない場合（ステップＳ９１；ＮＯ）、第２の画像メール受信処理が終了される。画像ファイルが添付されたメールが受信された場合（ステップＳ９１；ＹＥＳ）、画像ファイルが添付されたメールに、加工画像ファイルに対応する識別データが含まれているか否かにより、加工画像ファイルが添付されたメールが受信されたか否かが判別される（ステップＳ９２）。
【０１０４】
加工画像ファイルが添付されたメールが受信された場合（ステップＳ９２；ＹＥＳ）、識別データが参照され、受信された全画像ファイルのうちの加工画像ファイルが記憶部２５の指定場所に自動的に記憶され（ステップＳ９３）、第２の画像メール受信処理が終了される。加工画像ファイルは、画像自販機１０において新たに加工しているので、ＰＣ２０にない新規な画像ファイルであるとみなされるからである。
【０１０５】
加工画像ファイルが添付されたメールが受信されていない場合（ステップＳ９２；ＮＯ）、画像ファイルが添付されたメールに、印刷画像ファイルに対応する識別データが含まれているか否かにより、印刷画像ファイルが添付されたメールが受信されたか否かが判別される（ステップＳ９４）。印刷画像ファイルが添付されたメールが受信されていない場合（ステップＳ９４；ＮＯ）、第２の画像メール受信処理が終了される。
【０１０６】
印刷画像ファイルが添付されたメールが受信された場合（ステップＳ９４；ＹＥＳ）、識別データが参照され、受信された全画像ファイルから印刷画像ファイルが取得され、その印刷画像ファイルと、記憶部１５の指定場所に記憶された画像ファイルとが比較されて、受信された全印刷画像ファイルのうち記憶部１５の指定場所に記憶されていない新規の印刷画像ファイルが抽出される（ステップＳ９５）。印刷画像ファイルに既存のファイルとの比較を要するのは、印刷画像ファイルが携帯電話機３０などで新たに撮影された画像ファイルの可能性があるが、焼き増しなどのために、ＰＣ２０に記憶された画像ファイルが画像自販機１０で印刷されて印刷画像ファイルとなった可能性もあるからである。
【０１０７】
そして、ステップＳ９５において抽出された新規の印刷画像ファイルがあるか否かが判別される（ステップＳ９６）。新規の印刷画像ファイルがない場合（ステップＳ９６；ＮＯ）、第２の画像メール受信処理が終了される。新規の印刷画像ファイルがある場合（ステップＳ９６；ＹＥＳ）、ステップＳ９５において抽出された新規の印刷画像ファイルが記憶部１５の指定場所に自動的に記憶され（ステップＳ９７）、第２の画像メール受信処理が終了される。
【０１０８】
以上、本変形例によれば、ＰＣ２０において、画像ファイル及びその識別データを受信し、その識別データに基づいて、受信した画像ファイルのうちのＰＣ２０に記憶されていない画像データを抽出して自動的に記憶部２５に記憶するので、画像ファイル受信における、ユーザによる記憶対象の画像ファイルの選択の作業負担を大幅に軽減することができる。
【０１０９】
具体的には、受信した画像ファイルが加工画像ファイルである場合に、新規画像ファイルとみなして記憶部２５に自動的に記憶することができる。また、受信した画像ファイルが印刷画像ファイルである場合に、新規画像ファイルである可能性があり、その受信された印刷画像ファイルと、記憶部２５に記憶されている画像ファイルとが比較されて、記憶部２５に記憶されていない印刷画像ファイルを新規画像ファイルとみなして記憶部２５に自動的に記憶することができる。
【０１１０】
なお、上記各実施の形態及び変形例においては、画像ファイルの送信先の画像管理装置として、ＰＣ２０を用いる構成を説明したが、これに限定されるものではない。例えば、画像管理装置として、携帯電話機、ＰＨＳ、サーバ、ＰＤＡ、デジタルスチルカメラ、デジタルムービーカメラなどを用いる構成でもよい。
【０１１１】
また、上記各実施の形態においては、画像自販機１０と、ＰＣ２０とを通信ネットワークＮを介して通信接続する構成としたが、これに限定されるものではなく、サーバなどを介して通信接続される構成としてもよい。また、携帯電話機３０などのユーザー端末と画像自販機１０とを通信ケーブルにより接続し、当該通信ケーブルを介して画像自販機１０がユーザーの端末から画像ファイルを有線通信により取り込む構成としてもよい。
【０１１２】
また、上記実施の形態における画像印刷販売システム１００の各構成要素の細部構成、及び細部動作に関しては、本発明の趣旨を逸脱することのない範囲で適宜変更可能であることは勿論である。
【図面の簡単な説明】
【０１１３】
【図１】本発明に係る第１の実施の形態の画像印刷販売システム１００の構成を示す図である。
【図２】画像自販機１０の外観構成を示す図である。
【図３】画像自販機１０の内部構成を示す図である。
【図４】ＰＣ２０の内部構成を示す図である。
【図５】画像自販機１０において実行される第１の画像印刷販売処理を示すフローチャートである。
【図６】図５に示す第１の画像印刷販売処理の続きのフローチャートである。
【図７】図５に示す第１の画像印刷販売処理の続きのフローチャートである。
【図８】画像自販機１０の表示画面の構成を示す図である。（ａ）はメニュー画面４０の構成を示す図である。（ｂ）は画像送信入力画面５０の構成を示す図である。（ｃ）は画像送信利用案内画面６０の構成を示す図である。
【図９】画像自販機１０の記憶部１５に記憶する又はＲＡＭ１３に格納する各種データの構成を示す図である。（ａ）は記憶部１５に記憶されるユーザテーブル７０の構成を示す図である。（ｂ）はＲＡＭ１３に格納される画像関連データ８０の構成を示す図である。
【図１０】画像自販機１０において実行される第２の画像印刷販売処理を示すフローチャートである。
【図１１】第２の画像印刷販売処理のうちの選択画像送信処理を示すフローチャートである。
【図１２】ＰＣ２０において実行される第１の画像メール受信処理を示すフローチャートである。
【図１３】画像自販機１０又はＰＣ２０において表示される画面の構成を示す図である。（ａ）は画像自販機１０において表示される送信画像選択画面９０の構成を示す図である。（ｂ）はＰＣ２０において表示される受信画像選択画面Ｄの構成を示す図である。
【図１４】ＰＣ２０において実行される第２の画像メール受信処理を示すフローチャートである。
【符号の説明】
【０１１４】
１００  画像印刷販売システム
１０  画像自販機
２０  ＰＣ
３０  携帯電話機
１１，２１  ＣＰＵ
１１１，２１１  制御部
１２，２２  操作部
１３，２３  ＲＡＭ
１４，２４  表示部
１４１  表示画面部
１５，２５  記憶部
１６，２６  通信部
１Ｂ，２７  バス
１７  金銭授受部
１７１  紙幣授受部
１７２  返却レバー
１７３  コイン授受部
１７４  おつり返却部
１７５  レシート出力部
１８  記録媒体読み込み部
１８１  記録媒体セット部
１９  印刷部
１９１  印刷画像排出部
１Ａ  無線通信部
Ｎ  通信ネットワーク
【図１】
2005190410.tif 000003
【図２】
2005190410.tif 000004
【図３】
2005190410.tif 000005
【図４】
2005190410.tif 000006
【図５】
2005190410.tif 000007
【図６】
2005190410.tif 000008
【図７】
2005190410.tif 000009
【図８】
2005190410.tif 000010
【図９】
2005190410.tif 000011
【図１０】
2005190410.tif 000012
【図１１】
2005190410.tif 000013
【図１２】
2005190410.tif 000014
【図１３】
2005190410.tif 000015
【図１４】
2005190410.tif 000016